(57)【特許請求の範囲】
【請求項１】
複数のＬＥＤ（発光ダイオード）キューブを回転自在に帯状に連結する発光ダイオードランプであって、
前記ＬＥＤキューブは、
一面が開口した筐体と、
前記筐体内に収容され、１個以上のＬＥＤを実装した基板と、
連結方向両端部の各端部に１個のメス型ピンコネクタと
を備え、
前記ＬＥＤキューブ同士は、前記メス型ピンコネクタに連結するオス型ピンコネクタにより、隣接するＬＥＤキューブに対して回転自在に連結する
ことを特徴とする発光ダイオードランプ。
【請求項２】
前記ＬＥＤにレンズを取り付けることを特徴とする請求項１記載の発光ダイオードランプ。
【請求項３】
前記筐体を金属ケースで構成することを特徴とする請求項１又は請求項２記載の発光ダイオードランプ。
【請求項４】
前記筐体の外周面を凹凸面とすることを特徴とする請求項１乃至３のいずれかに記載の発光ダイオードランプ。
【請求項５】
前記ＬＥＤキューブは、オス型ピンコネクタにより、隣接するＬＥＤキューブと電気的に接続されることを特徴とする請求項１乃至４のいずれかに記載の発光ダイオードランプ。
【請求項６】
前記筐体の開口した一面に、カバーを備えることを特徴とする請求項１乃至５のいずれかに記載の発光ダイオードランプ。
【発明の詳細な説明】
【技術分野】
【０００１】
この発明は、発光ダイオード（ＬＥＤ）を利用した発光ダイオードランプに関するものである。
【背景技術】
【０００２】
発光ダイオードは性能が急速に向上し、照明に欠かせない白色発光ダイオードが開発され、明るさにおいても照明として十分使える輝度で発光させることができるようになり、発光ダイオードを本格的に照明に応用しようとする研究が盛んになってきた。
【０００３】
図９乃至１１は、従来のＬＥＤモジュール１００を示す図で、図９はＬＥＤモジュール１００の斜視図、図１０はＬＥＤモジュール１００の平面図、図１１はＬＥＤモジュール１００の側面図である。
【０００４】
図９乃至１１に示すように、ＬＥＤモジュール１００は、下面が開口した細長いバー状の金属ケース１０１に、複数のＬＥＤ１０３を一列に配設実装した基板１０２を収容している。金属ケース１０１の長さは、３０、６０、１２０ｃｍ等である。
【０００５】
金属ケース１０１は、細長い略直方体で、下面と両端とが開口している。
【０００６】
金属ケース１０１は、端部が略コ字状である。金属ケース１０１の内周面の天面に、ＬＥＤ１０３を実装した基板１０２を収容している。
【０００７】
金属ケース１０１の下面は、透光性のカバー１０４で覆われている。
【０００８】
図示はしていないが、金属ケース１０１の両端には、エンドキャップが取り付けられる。
【０００９】
エンドキャップには、電源のリード線（図示せず）又は隣接する他のＬＥＤモジュール１００を接続するピンコネクタ（図示せず）が取り付けられる。
【００１０】
図９に示すＬＥＤモジュール１００は、例えば、棚下等の直下照明に用いられる。
【特許文献１】特開２００３−３０３５０４号公報
【発明の開示】
【発明が解決しようとする課題】
【００１１】
従来の複数のＬＥＤ１０３を一列に配設実装した基板１０２を備えるＬＥＤモジュール１００を用いて棚下等の直下照明を行う場合、明るい場所が限られる課題があった。
【００１２】
また、ＬＥＤモジュール１００の複数のＬＥＤ１０３は一つの基板１０２に実装されているため、照射角度をＬＥＤ１０３個々に設定することができないという課題があった。
【００１３】
この発明は、上記のような課題を解決するためになされたもので、ＬＥＤの照射方向を個々に設定することができる発光ダイオードランプを提供することを目的とする。
【課題を解決するための手段】
【００１４】
この発明に係る発光ダイオードランプは、複数のＬＥＤキューブを回転自在に帯状に連結する発光ダイオードランプであって、
ＬＥＤキューブは、
一面が開口した筐体と、
筐体内に収容され、１個以上のＬＥＤを実装した基板とを備えたことを特徴とする。
【００１５】
この発明に係る発光ダイオードランプは、ＬＥＤにレンズを取り付けることを特徴とする。
【００１６】
この発明に係る発光ダイオードランプは、筐体を金属ケースで構成することを特徴とする。
【００１７】
この発明に係る発光ダイオードランプは、筐体の外周面を凹凸面とすることを特徴とする。
【００１８】
この発明に係る発光ダイオードランプは、ＬＥＤキューブが連結方向両端部にメス型ピンコネクタを備え、ＬＥＤキューブ同士は、メス型ピンコネクタに連結するオス型ピンコネクタにより回転自在に連結することを特徴とする。
【００１９】
この発明に係る発光ダイオードランプは、筐体の開口した一面に、カバーを備えることを特徴とする。
【発明の効果】
【００２０】
この発明に係る発光ダイオードランプは、ＬＥＤを有する複数のＬＥＤキューブを回転自在に帯状に連結する構成にしたので、ＬＥＤの照射角度を個々に設定することができる。
【００２１】
この発明に係る発光ダイオードランプは、筐体を金属ケースで構成することにより、良好な放熱性が得られる。
【００２２】
この発明に係る発光ダイオードランプは、筐体の外周面を凹凸面とすることにより、さらに放熱性が向上する。
【００２３】
この発明に係る発光ダイオードランプは、ＬＥＤキューブが連結方向両端部にメス型ピンコネクタを備え、ＬＥＤキューブ同士は、メス型ピンコネクタに連結するオス型ピンコネクタにより回転自在に連結することにより、容易に複数のＬＥＤキューブを回転自在に帯状に連結することができる。
【発明を実施するための最良の形態】
【００２４】
実施の形態１．
図１乃至図８は実施の形態１を示す図で、図１はＬＥＤキューブ１０の概念図、図２は図３のＡ−Ａ断面図、図３は発光ダイオードランプ２０の分解斜視図、図４は発光ダイオードランプ２０の斜視図、図５はＬＥＤキューブ１０の照射角度を変化させた状態の発光ダイオードランプ２０の斜視図、図６は発光ダイオードランプ２０のＬＥＤ３の接続状態を示す電気回路図、図７は変形例１のＬＥＤキューブ１０の断面図、図８は変形例２のＬＥＤキューブ１０の断面図である。
【００２５】
図１、図２を参照しながらＬＥＤキューブ１０の構成を説明する。
【００２６】
ＬＥＤキューブ１０は、略直方体の金属ケース１（筐体の一例）を備える。金属ケース１の一面（使用時に下面となる面）が開口している。金属ケース１は、例えば、アルミケースである。
【００２７】
金属ケース１は、放熱性を向上させるために、その外周面を凹凸のある面としている。凸部１ａと、凹部１ｂとで凹凸面を構成し、金属ケース１の外周面の表面積を凹凸のない場合よりも大きくなるようにしている。それにより、放熱性が改善される。
【００２８】
金属ケース１の大きさは、一例では、高さＨが２０ｍｍ、幅Ｄが２０ｍｍ、長さＬ（連結方向）が４０ｍｍである。
【００２９】
金属ケース１の板厚は、一例では、約１ｍｍである。凸部１ａの高さ（凹部１ｂの深さ）は、一例では２〜３ｍｍである。
【００３０】
金属ケース１の内部の天面付近に基板２が取り付けられる。基板２には、１個以上のＬＥＤ３が実装されている。
【００３１】
基板２には、ＬＥＤ３を点灯させるために必要な他の電子部品も実装されるが、公知のものであるから、説明は省く。
【００３２】
さらに、ＬＥＤ３にレンズ５が取り付けられる。レンズ５がない場合、ＬＥＤ３の配光角度は約１２０°である。それに対し、ＬＥＤ３をレンズ５付きにすると、配光角度は、３０〜６０°になる。ＬＥＤ３をレンズ５付きにすると、レンズ５がない場合に比べて、光軸方向の照度は約２倍になる。
【００３３】
金属ケース１の開口面には、例えば樹脂製のカバー４が装着される。カバー４には、透明カバー、乳白色カバー、つや消しカバー、レンズ等が用いられる。
【００３４】
このように、ＬＥＤキューブ１０は、内部に少なくとも１個のＬＥＤ３を備える。そして、ＬＥＤ３はレンズ５付きであるので、照射角度が３０〜６０°に絞られ、直下照度がレンズ５がない場合に比べて約２倍になる。
【００３５】
図３乃至図５より発光ダイオードランプ２０の構成を説明する。
【００３６】
発光ダイオードランプ２０は、複数個のＬＥＤキューブ１０をオス型ピンコネクタ６で帯状に連結している。オス型ピンコネクタ６は、隣接するＬＥＤキューブ１０を連結し、電気的な接続も行う。
【００３７】
図３に示すように、ＬＥＤキューブ１０には、オス型ピンコネクタ６と連結するメス型ピンコネクタ７が連結方向の両端部に設けられる。
【００３８】
図３乃至図５では、３個のＬＥＤキューブ１０を２個のオス型ピンコネクタ６により連結する例を示すが、個数は問わない。
【００３９】
但し、図６に示すように、ＬＥＤキューブ１０は、直流電源８（一例では、２４ボルト）に並列に接続される。ＬＥＤキューブ１０の数が増えると、直流電源８に近い部分の基板２のパターンの電流密度が大きくなり、パターンの温度が高くなる。従って、ＬＥＤキューブ１０の個数は、パターンの温度が許容値を超えないように選択される。
【００４０】
３個のＬＥＤキューブ１０をオス型ピンコネクタ６により連結すると、図４に示すような発光ダイオードランプ２０となる。
【００４１】
オス型ピンコネクタ６とメス型ピンコネクタ７とは、３６０°回転自在に連結される。そのため、オス型ピンコネクタ６で連結されたＬＥＤキューブ１０同士は、互いに３６０°回転可能である。
【００４２】
図４のように、３個のＬＥＤキューブ１０が同じ方向（真下）を向いている場合は、照射方向が垂直だけとなる。ＬＥＤキューブ１０はレンズ付きのため、配光角度が３０〜６０°に絞られる。レンズがない場合に比べて、照度は大きくなるが、照射エリアが狭くなる。
【００４３】
しかし、本実施の形態の発光ダイオードランプ２０は、個々のＬＥＤキューブ１０が３６０°回転可能なため、夫々のＬＥＤキューブ１０を照射が必要なエリアに向けることが可能となる。
【００４４】
また、本実施の形態の発光ダイオードランプ２０は、基板２のパターンの温度が許容値を超えない範囲で、ＬＥＤキューブ１０の個数を自由に変えることができる。用途に合わせて、発光ダイオードランプ２０のサイズ（長さ）を変えることができる。
【００４５】
金属ケース１の形状は、図２の断面形状がコ字状のものに限定されない。例えば、図７の変形例１のＬＥＤキューブ１０のように、頂部の形状が屋根形のものでもよい。
【００４６】
また、図８の変形例２のＬＥＤキューブ１０のように、頂部の形状がドーム形のものでもよい。
【００４７】
以上のように、本実施の形態によれば、ＬＥＤキューブ１０は、内部に１個のＬＥＤ３を備え、ＬＥＤ３はレンズ５付きであるので、配光角度が３０〜６０°に絞られ、光軸方向の照度がレンズ５がない場合に比べて約２倍になる。
【００４８】
また、オス型ピンコネクタ６で連結されたＬＥＤキューブ１０同士は互いに３６０°回転可能なため、夫々のＬＥＤキューブ１０を照射が必要なエリアに向けることが可能となる。
【００４９】
また、金属ケース１の外周面を凹凸のある面としているので、放熱性を向上させることができる。
【００５０】
以上の説明では、ＬＥＤキューブ１０のＬＥＤ３にレンズ５を付加するようにしたが、レンズ５はなくてもよい。この場合でも、個々のＬＥＤキューブ１０が３６０°回転可能なため、夫々のＬＥＤキューブ１０を照射が必要なエリアに向けることが可能となる。
【図面の簡単な説明】
【００５１】
【図１】実施の形態１を示す図で、ＬＥＤキューブ１０の概念図。
【図２】実施の形態１を示す図で、図３のＡ−Ａ断面図。
【図３】実施の形態１を示す図で、発光ダイオードランプ２０の分解斜視図。
【図４】実施の形態１を示す図で、発光ダイオードランプ２０の斜視図。
【図５】実施の形態１を示す図で、ＬＥＤキューブ１０の照射角度を変化させた状態の発光ダイオードランプ２０の斜視図。
【図６】実施の形態１を示す図で、発光ダイオードランプ２０のＬＥＤ３の接続状態を示す電気回路図。
【図７】実施の形態１を示す図で、変形例１のＬＥＤキューブ１０の断面図。
【図８】実施の形態１を示す図で、変形例２のＬＥＤキューブ１０の断面図。
【図９】従来のＬＥＤモジュール１００の斜視図。
【図１０】従来のＬＥＤモジュール１００の平面図。
【図１１】従来のＬＥＤモジュール１００の側面図。
【符号の説明】
【００５２】
１  金属ケース、１ａ  凸部、１ｂ  凹部、２  基板、３  ＬＥＤ、４  カバー、５  レンズ、６  オス型ピンコネクタ、７  メス型ピンコネクタ、８  直流電源、１０  ＬＥＤキューブ、２０  発光ダイオードランプ、１００  ＬＥＤモジュール、１０１  金属ケース、１０２  基板、１０３  ＬＥＤ、１０４  カバー。
【図１】
0005248920.tif 000002
【図２】
0005248920.tif 000003
【図３】
0005248920.tif 000004
【図４】
0005248920.tif 000005
【図５】
0005248920.tif 000006
【図６】
0005248920.tif 000007
【図７】
0005248920.tif 000008
【図８】
0005248920.tif 000009
【図９】
0005248920.tif 000010
【図１０】
0005248920.tif 000011
【図１１】
0005248920.tif 000012